(57)【要約】【課題】粘着手段が有するズレ止め効果を低下させずに、着用時に吸収体を肌側へ向かってより立体的に凸状に隆起させることで、歪なよれの発生度合いを低減させ、より優れたフィット性を有する吸収性物品を提供すること。【解決手段】  透液性表面シートと不透液性裏面シートとの間に吸収要素を備えた吸収性物品において、  当該吸収要素の長手方向の中心線の両側に、当該中心線を基準として略対称に、前記長手方向の中心線側へ向かって凸状に形成した一対の第一エンボスと、  当該吸収要素の長手方向の中心線の両側に、当該中心線を基準として略対称に、前記長手方向の中心線側から当該吸収要素の幅方向外側へ向かって凸状に形成した一対の第二エンボスとを設け、  前記中心線に対して、前記第二エンボスが、前記第一エンボスの外側にそれぞれ配置されていることを特徴とする吸収性物品。【選択図】図１
2012120792.tif 000002
【特許請求の範囲】
【請求項１】
透液性表面シートと不透液性裏面シートとの間に吸収要素を備えた吸収性物品において、
当該吸収要素の長手方向の中心線の両側に、当該中心線を基準として略対称に、前記長手方向の中心線側へ向かって凸状に形成した一対の第一エンボスと、
当該吸収要素の長手方向の中心線の両側に、当該中心線を基準として略対称に、前記長手方向の中心線側から当該吸収要素の幅方向外側へ向かって凸状に形成した一対の第二エンボスとを設け、
前記中心線に対して、前記第二エンボスが、前記第一エンボスの外側にそれぞれ配置されていることを特徴とする吸収性物品。
【請求項２】
前記一対の第二エンボスが、着用者の排血口に対応する排血口対応部を挟むように長手方向中心軸を挟むように形成される請求項１記載の吸収性物品。
【請求項３】
前記第一エンボスの前記吸収要素の長手方向に対する長さが、前記第二エンボスの前記吸収要素の長手方向の長さよりも短い請求項１または２のいずれか１項に記載の吸収性物品。
【請求項４】
前記第一エンボスの端点は、前記第二エンボスと離間している請求項１または３のいずれか１項に記載の吸収性物品。
【請求項５】
前記第一エンボスと前記第二エンボスの間に第三エンボスを設ける請求項１から４いずれか１項に記載の吸収性物品。
【請求項６】
前記第一エンボス及び前記第三エンボスの少なくとも一方がエンボス点のみからなり、
前記第二エンボスがエンボス点のみからなる場合において、
前記第一エンボス及び前記第三エンボスの少なくとも一方のエンボス点の間隔が、前記第二エンボスの当該エンボス点の間隔よりも疎である請求項１から５のいずれか１項に記載の吸収性物品。
【請求項７】
前記第一エンボス及び前記第三エンボスの少なくとも一方がエンボス点のみからなり、かつ、前記第二エンボスがエンボス点とエンボス線からなる場合において、
前記第二エンボスのエンボス点の間隔が、
前記第一エンボス及び前記第三エンボスの少なくとも一方のエンボス点の間隔よりも疎である請求項１から５のいずれか１項に記載の吸収性物品。
【請求項８】
前記排血口対応部においては、前記吸収要素と前記不透液性裏面シートを固着せず、
その他の区域においては、前記吸収要素と前記不透液性裏面シートを固着する請求項１記載の吸収性物品。
【請求項９】
前記排血口対応部においては、前記不透液性裏面シートのショーツに対面する側に、前記不透液性裏面シートとショーツを固着する固着手段を設けず、
その他の区域においては、前記不透液性裏面シートのショーツに対面する側に、前記不透液性裏面シートとショーツを固着する固着手段を設ける請求項１記載の吸収性物品。
【請求項１０】
前記第一エンボスを前記透液性表面シートには設けず、前記吸収要素にのみ設け、
前記第二エンボスを前記透液性表面シートおよび前記吸収要素に設ける請求項１記載の吸収性物品。
【発明の詳細な説明】
【技術分野】
【０００１】
本発明は、女性の経血やおりものなどを吸収する吸収性物品に係り、特に、吸収要素を立体的に隆起させて着用者の排泄部に密着せしめるようにした吸収性物品に関する。
【背景技術】
【０００２】
従来より市販されている吸収性物品のうち一般的によく知られているものは、経血などを吸収する吸収要素と、当該吸収要素の肌側表面に設けられた透液性表面シートと、当該吸収要素のショーツ側表面に設けられた不透液性裏面シートとからなるものである。
【０００３】
前記吸収性物品を着用すると、着用者の足圧によりよれが生じ、前記吸収性物品と着用者の排血口との間に隙間が生じる。当該よれが生じると、前記吸収性物品が本来の機能を発揮せずに、経血などが漏れ出し、ショーツや衣類を汚してしまうことがある。また、当該よれは着用者が感じる違和感の原因にもなる。
前記吸収性物品と着用者の排血口との間に大きな隙間が生じると、着用者の足圧により前記吸収性物品に歪なよれが生じることが多い。当該歪なよれが生じると、前記吸収性物品が本来の機能を発揮せずに、経血などが漏れ出し、ショーツや衣類を汚してしまうことがある。
【０００４】
このような漏れ出しを防ぐため、吸収性物品の吸収要素を肌側へ立体的に隆起させ、歪なよれが生じることを防ぐ方法が開示されている。
例えば、下記特許文献１に記載の吸収性物品は、吸収体の長手方向に伸びる中心線及び幅方向に伸びる中心線それぞれに対して略線対称に溝を設けている。当該溝は、当該吸収体の幅方向外側に凸状に湾曲するように形成されている。
着用者が当該吸収性物品を着用すると、足圧によって、当該吸収性物品は左右から幅方向内側に向かって圧縮力を受ける。そして、前記溝に囲まれた部分のうち、幅方向最外部に位置する部分が圧縮力を受け止め、当該圧縮力を前記溝の長手方向に亘って伝え、前記溝に囲まれた部分が隆起する。
【０００５】
また、下記特許文献２に記載の吸収性物品は、吸収体と不透液性シートの間に、弾性伸縮性シートを配している。当該弾性伸縮性シートは、前記吸収体の長手方向に直交する方向に配されている。
着用者は、前記弾性伸縮性シートを含むウイング部を折り返して、ショーツに固定する。そして、前記弾性伸縮性シートの幅方向の収縮作用により、前記吸収体が着用者の肌側方向に向かって隆起する。
【先行技術文献】
【特許文献】
【０００６】
【特許文献１】特開２００６−３２５６３９号公報
【特許文献２】特開２００２−３６９８３７号公報
【発明の概要】
【発明が解決しようとする課題】
【０００７】
特許文献１記載の吸収性物品は、吸収体に弾性力がないため、当該溝に囲まれた吸収体の内部によれが発生しやすい。
また、特許文献２記載の吸収性物品は、前記弾性収縮性シートのショーツ側に不透液性シートを設け、当該不透液性シートとショーツが、ズレ止め防止のための粘着手段により粘着されている。当該吸収性物品が当該弾性収縮性シートの有する収縮力により収縮すると、当該不透液性シートも攣られて共に収縮してしまう。前記粘着手段はそれほど強力なものでないため、当該収縮によって前記不透液性シートとショーツの粘着が剥がれてしまい、前記粘着手段のズレ止めの効果が低下してしまう。
【０００８】
従って、本発明の目的は、粘着手段が有するズレ止め効果を低下させずに、着用時に吸収体を肌側へ向かってより立体的に凸状に隆起させることで、歪なよれの発生度合いを低減させ、より優れたフィット性を有する吸収性物品を提供することにある。
【課題を解決するための手段】
【０００９】
上記課題を解決するための請求項１に係る本発明として、透液性表面シートと不透液性裏面シートとの間に吸収要素を備えた吸収性物品において、
当該吸収要素の長手方向の中心線の両側に、当該中心線を基準として略対称に、前記長手方向の中心線側へ向かって凸状に形成した一対の第一エンボスと、
当該吸収要素の長手方向の中心線の両側に、当該中心線を基準として略対称に、前記長手方向の中心線側から当該吸収要素の幅方向外側へ向かって凸状に形成した一対の第二エンボスとを設け、
前記中心線に対して、前記第二エンボスが、前記第一エンボスの外側にそれぞれ配置されていることを特徴とする吸収性物品が提供される。
【００１０】
（作用効果）
前記請求項１記載の発明によれば、着用者が前記吸収性物品を着用した際に、当該吸収性物品の左右幅方向外側から内側へ向かって足圧がかかる。当該足圧は、まず前記第二エンボスのうち、前記吸収性物品の幅方向最外部に位置する溝で受け止められる。そして、前記足圧は、前記第二エンボスの長手方向全体に亘って伝えられ、前記一対の第二エンボスに挟まれた部分が隆起する。
また、前記第二エンボスで受け止めきれなかった足圧は、前記第二エンボスの幅方向最外部に位置する溝に対向する前記第一エンボスの溝で受け止められる。そして、前記足圧は、前記第一エンボスの長手方向全体に亘って伝えられる。これにより、前記一対の第一エンボスに挟まれた部分が、更に隆起する。
そのため、前記第二エンボスだけを設けて、前記第一エンボスを設けない場合と比べて、前期吸収性物品の隆起がより立体的となり、前記第二エンボスに挟まれた部分に歪んだよれが発生しづらくなり、着用者の排血口部分へのフィット性がより高くなるという効果がある。
【００１１】
上記課題を解決するための請求項２に係る本発明として、前記一対の第二エンボスが、着用者の排血口に対応する排血口対応部を挟むように形成される請求項１記載の吸収性物品が提供される。
【００１２】
（作用効果）
前記請求項２記載の発明によれば、前記一対の第二エンボスにより、前記一対の第二エンボスに挟まれた前記排血口対応部が隆起し、当該隆起した部分が着用者の排血口付近にフィットするため、効果的に経血等の漏れを防止することができる。
【００１３】
上記課題を解決するための請求項３に係る本発明として、前記第一エンボスの前記吸収要素の長手方向に対する長さが、前記第二エンボスの前記吸収要素の長手方向の長さよりも短い請求項１または２のいずれか１項に記載の吸収性物品が提供される。
【００１４】
（作用効果）
前記請求項３記載の発明では、前記第一エンボスの端点よりも、前記第二エンボスの端点のほうが長手方向外側へ長く形成される。
着用者の排血口から流れ出た経血などは、まず、前記第一エンボスの溝に沿って、長手方向前後に広がる。当該第一エンボスの近辺に位置する吸収要素で吸収しきれない経血は、当該吸収要素の幅方向外側に位置する前記第二エンボスへと流れる。そして、前記第一エンボスより長手方向に長い前記第二エンボスの溝に沿って、長手方向前後に広がる。そのため、前記第一エンボス近辺に位置する前記吸収要素で吸収しきれない経血は、前記第二エンボス近辺に位置する前記吸収要素により吸収されるため、効果的に経血等の漏れを防止することができる。
【００１５】
上記課題を解決するための請求項４に係る本発明として、前記第一エンボスの端点は、前記第二エンボスと離間している請求項１または３のいずれか１項に記載の吸収性物品が提供される。
【００１６】
（作用効果）
前記第一エンボスの端点と前記第二エンボスが交差した場合、当該交差点付近の前記吸収要素が硬くなってしまう。前記請求項４記載の発明によれば、そのような硬さが発生しないため、前記吸収性物品を着用した時に着用者が感じる着け心地が悪くならない。
【００１７】
上記課題を解決するための請求項５に係る本発明として、前記第一エンボスと前記第二エンボスの間に第三エンボスを設ける請求項１から４いずれか１項に記載の吸収性物品が提供される。
【００１８】
（作用効果）
当該第三エンボスを設けることにより、当該第三エンボスを設けない場合と比べて、前記第一エンボスと前記第二エンボスに囲まれた部分がより立体的に隆起する。そのため、着用者の排血口に対するフィット感をより向上させることができる。
【００１９】
上記課題を解決するための請求項６に係る発明として、前記第一エンボス及び前記第三エンボスの少なくとも一方がエンボス点のみからなり、
前記第二エンボスがエンボス点のみからなる場合において、
前記第一エンボス及び前記第三エンボスの少なくとも一方のエンボス点の間隔が、前記第二エンボスの当該エンボス点の間隔よりも疎である請求項１から５のいずれか１項に記載の吸収性物品が提供される。
【００２０】
（作用効果）
一般に、前記エンボス点の間隔が密になればなるほど、当該エンボス点近辺の前記吸収要素が硬くなる。前記請求項６記載の発明によれば、前記第一エンボス及び前記第三エンボスの少なくとも一方のエンボスの近辺の前記吸収要素が硬くならないため、前記吸収性物品を着用した時に着用者が感じる着け心地が悪くならない。また、前記第二エンボス点の間隔は前記第一エンボス及び前記第三エンボスの少なくとも一方のエンボスのエンボス点の間隔よりも密にすることで、経血等の液体を当該第二エンボス点の溝に沿って長手方向前後に速やかに流すことができ、経血等のショーツへの漏れ出しを防ぐことができる。
【００２１】
上記課題を解決するための請求項７に係る発明として、
前記第一エンボス及び前記第三エンボスの少なくとも一方がエンボス点のみからなり、かつ、前記第二エンボスがエンボス点とエンボス線からなる場合において、
前記第二エンボスのエンボス点の間隔が、
前記第一エンボス及び前記第三エンボスの少なくとも一方のエンボス点の間隔よりも疎である請求項１から５のいずれか１項に記載の吸収性物品が提供される。
【００２２】
（作用効果）
前記第二エンボスは、経血等の液体を当該第二エンボスの溝に沿って長手方向前後に速やかに流すことを１つの目的としている。そのため、前記第二エンボスがエンボス点のみからなる場合は、当該エンボス点の間隔を前記第一エンボスおよび前記第三エンボスの少なくとも一方のエンボスのエンボス点の間隔よりも、密にしなければならない。しかし、前記第二エンボスがエンボス線およびエンボス点からなる場合は、当該エンボス線によって、経血等の液体を当該第二エンボスの溝に沿って長手方向前後に速やかに流すことができるので、前記第二エンボスのエンボス点の間隔を、前記第一エンボスおよび前記第三エンボスの少なくとも一方のエンボスのエンボス点の間隔よりも、疎にすることができる。当該第二エンボスのエンボス点の間隔を疎にすることで、当該第二エンボスの間隔を密にした時と比べて、当該第二エンボス近辺の吸収要素が硬くなるのを防ぐことができる。
【００２３】
上記課題を解決するための請求項８に係る本発明として、前記排血口対応部においては、前記吸収要素と前記不透液性裏面シートを固着せず、その他の区域においては、前記吸収要素と前記不透液性裏面シートを固着する請求項１記載の吸収性物品が提供される。
【００２４】
（作用効果）
前記不透液性裏面シートはショーツと固着している。そのため、前記吸収要素と前記不透液性裏面シートが固着している場合は、前記排血口対応部の前記吸収要素を肌面側に向かって隆起させるためには、ショーツも肌面側に向かって隆起させなければならない。前記請求項８記載の発明によれば、前記排血口対応部においては、前記吸収要素と前記不透液性裏面シートを固着していないため、ショーツを肌面側に向かって隆起させる必要がない。従って、前記排血口対応部に位置する前記吸収要素と前記不透液性裏面シートを固着した場合と比べて、より少ない力で前記吸収要素を隆起させることができる。
【００２５】
上記課題を解決するための請求項９に係る本発明として、前記排血口対応部においては、前記不透液性裏面シートのショーツに対面する側に、前記不透液性裏面シートとショーツを固着する固着手段を設けず、その他の区域においては、前記不透液性裏面シートのショーツに対面する側に、前記不透液性裏面シートとショーツを固着する固着手段を設ける請求項１記載の吸収性物品が提供される。
【００２６】
（作用効果）
前記請求項９記載の発明によれば、前記排血口対応部の前記吸収要素と前記不透液性裏面シートを全面的に固着した場合であっても、前記排血口対応部の前記不透液性裏面シートのショーツに対面する側はショーツを固着していないため、前記排血口対応部の前記吸収要素を肌面側に向かって隆起させるために、ショーツを肌面側に向かって隆起させる必要がない。従って、前記排血口対応部に位置する前記不透液性裏面シートのショーツに対面する側をショーツと固着した場合と比べて、より少ない力で前記吸収要素を隆起させることができる。
【００２７】
上記課題を解決するための請求項１０に係る本発明として、前記第一エンボスを前記透液性表面シートには設けず、前記吸収要素にのみ設け、前記第二エンボスを前記透液性表面シートおよび前記吸収要素に設ける請求項１記載の吸収性物品が提供される。
【００２８】
（作用効果）
前記のとおり、前記透液性表面シートや前記吸収要素にエンボスを設けると、エンボス部分が硬くなる。そのため、前記吸収性物品を着用した際の着け心地が悪くなるのみならず、前記透液性表面シートの液透過性や前記吸収要素の液吸収性が低下する。
前記請求項１０記載の発明によれば、前記透液性表面シートには前記第一エンボスを設けていないため、前記第一エンボス周辺の前記透液性表面シートの液透過性が損なわれない。また、前記吸収要素には前記第一エンボスを設けているため、前記吸収要素の液吸収性が低下する。しかし、前記第一エンボスは、前記一対の第一エンボス間に挟まれた前記吸収要素を隆起させるという目的があるため、本発明の構成上必要なものである。
尚、前記第二エンボスは、前記透液性表面シートおよび前記吸収要素の両方に設けている。これにより、前記透液性表面シートの液透過性は低下するが、経血等の液体を第二エンボスより幅方向外側へ漏れ出さないようにするために、第二エンボスを前記透液性表面シートにも設け、第二エンボスの長手方向前方及び後方へ前記液体を誘導することが必要となる。
【発明の効果】
【００２９】
本発明による吸収性物品によれば、粘着手段が有するズレ止め効果を低下させずに、着用時に吸収体を肌側へ向かってより立体的に凸状に隆起させることで、歪なよれの発生度合いを低減させ、より優れたフィット性を有する吸収性物品を提供することができる。
【図面の簡単な説明】
【００３０】
【図１】本発明にかかる吸収性物品の平面図である。
【図２】本発明にかかる吸収性物品の平面図であり、第三エンボスを設けた図である。
【図３】本発明にかかる吸収性物品の平面図であり、固着手段の位置を表した図である。
【図４】本発明にかかる吸収性物品の断面図である。
【図５】本発明にかかる吸収性物品の断面図である。
【図６】本発明にかかる吸収性物品の平面図であり、第一エンボスと第二エンボスの位置関係を表した図である。
【図７】本発明にかかる吸収性物品に形成された第一エンボス、第二エンボス、第三エンボスの断面図である。
【図８】本発明にかかる第一エンボスおよび第二エンボスの形状の変形例である。
【発明を実施するための形態】
【００３１】
以下、本発明の吸収性物品の好ましい本実施形態について、図１〜図６を参照しながら説明する。
【００３２】
本発明の実施形態の吸収性物品は、生理用ナプキン１であり、図１に示すように、不透液性シート２と透液性シート３を備え、当該不透液性裏面シート２と当該透液性表面シート３の間に吸収要素６が挟まれている。生理用ナプキン１を着用した場合、当該不透液性裏面シート２はショーツ１６に接し、当該透液性表面シート３は着用者の肌に接する。
【００３３】
当該吸収要素６は、着用者の経血などの吸収を目的として設けられており、綿状パルプや合成パルプなどの素材から構成される吸収体４と、当該吸収体４を包むように設けられたクレープ紙５からなる。当該クレープ紙５は、経血などの液体を拡散すること、及び当該液体が肌側へ逆戻りすることを防止するために設けられている。また、前記透液性表面シート３は、着用者から発生した前記経血などを前記吸収要素６へ透過させることを目的として設けられており、メッシュ状に構成され、表面に撥水加工が施されている。更に、前記不透液性裏面シート２は、前記吸収要素６で吸収された経血などがショーツ１６へ滲みださないようにすることを目的として設けられており、ポリエチレンシートやポリプロピレンシートなどからなる。
【００３４】
前記透液性表面シート３は、有孔または無孔の不織布や多孔性プラスチックシートなどが好適に用いられる。不織布を構成する素材繊維としては、たとえばポリエチレン又はポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、ケミカルボンド法、メルトブローン法、ニードルパンチ法等の適宜の加工法によって得られた不織布を用いることができる。これらの加工法のうち、スパンレース法は柔軟性、ドレープ性に富む点で優れ、サーマルボンド法は崇高でソフトである点で優れている。
【００３５】
前記吸収要素６の面積は、当該不透液性裏面シート２及び当該透液性表面シート３よりも小さい。当該吸収要素６は、当該不透液性シート２及び当該透液性シート３の略中央に位置しており、当該吸収要素６の端辺は、当該不透液性裏面シート２及び当該透液性表面シート３の端辺から所定の距離を置いて離間している。当該吸収要素６を挟まず、当該不透液性裏面シート２及び当該透液性表面シート３が直に接している部分であり、当該吸収要素６の外延にある部分を外延部７という。当該外延部７は、ホットメルトやヒートシールなどにより接着されている。
【００３６】
尚、図面１の生理用ナプキン１は、外延部７が長手方向中心から幅方向外側へ向かって凸状に突出したウイング部Ｗを有するものを記載したが、当該ウイング部Ｗを有さない生理用ナプキン１に対しても、本発明が適用される。
【００３７】
次に、エンボスについて説明する。
ここで、エンボスとは、前記吸収要素６や前記不透液性裏面シート２や前記透液性表面シート３の加工したい部分に熱をかけることによって、当該熱をかけた部分の一方の面が反対の面に向かって押し出されて生じた溝のことをいう。尚、当該溝は、前記吸収要素６や前記不透液性裏面シート２や前記透液性表面シート３を貫通しないように形成することが一般的である。
【００３８】
前記エンボスは、例えば、点状の溝のみからなるもの、線状の溝のみからなるもの、線状の溝の中に点状の溝が設けられたものが挙げられる。点状の溝のみからなるエンボスを形成する方法としては、例えば、円柱状の金属性のローラーの表面に点状に突出した金属部分を設け、当該ローラーを前記吸収要素６などに押し付けることにより形成するものがある。また、線状の溝のみからなるエンボスを形成する方法としては、例えば、円柱状の金属性のローラーの表面に線状に突出した金属部分を設け、当該ローラーを前記吸収要素６などに押し付けることにより形成するものがある。更に、線状の溝の中に点状の溝が設けられたエンボスを形成する方法としては、例えば、円柱状の金属性のローラーの表面に線状に突出した金属部分を設け、かつ、当該線状に突出した金属部分の外方に、更に点状に突出した金属部分を設け、当該ローラーを前記吸収要素６などに押し付けることにより形成するものがある。
【００３９】
図７は生理用ナプキン１の断面図であり、より詳細には、第一エンボス１５、第二エンボス１０、第三エンボス１８の各エンボスの長手方向に沿って切断した場合の断面図である。
前記第一エンボス１５及び前記第三エンボス１８は、図７（ａ）のように点状の溝のみからなるもの、又は図７（ｂ）のように線状の溝のみからなるものである。
一方、前記第二エンボス１０は、図７（ｃ）点状の溝のみからなるもの、又は図７（ｄ）のように線状の溝の中に点状の溝が設けられたものである。
図７の（ａ）および（ｃ）は、点状の溝のみからなるエンボスを表しており、製造時に点状の溝になる部分にのみ圧力をかけるため、観念上は、点状の溝の部分のみが、図７の下方へ向かって（透液性表面シート３の肌に接する面側から吸収要素６へ向かって）窪んでいるようにも思われる。しかし、実際には、前記点状の溝が図７の下方へ向かって窪む圧力に影響を受けて、点状の溝の間にある透液性表面シート３と吸収要素６も図７の下方へ少し沈む。そのため、実際上は、図７に表したように、点状の溝の間にある前記透液性表面シート３と前記吸収要素６も、図７の下方へ少し沈んでいる状態になる。
また、本明細書においては、点状の溝からなるエンボスのうち、当該点状の溝の各溝をエンボス点といい、線状の溝からなるエンボスのうち、当該線状の溝をエンボス線という。
【００４０】
本実施形態の生理用ナプキン１は、図１に示すように、透液性表面シート２および吸収要素６に第一エンボス１５及び第二エンボス１０が設けられている。当該第一エンボス１５は、吸収要素６の長手方向中心線ＣＬを基準として、幅方向に略対象に設けられている。また、当該第二エンボス１０も、吸収要素６の長手方向中心線ＣＬを基準として、幅方向に略対象に設けられている。
【００４１】
なお、生理用ナプキン１のうち、着用者の排血口に接する部分を排血口対応部Ｒ１といいう。排血口の位置は着用者によって個人差があるが、例えば、マーケティングなどにより当該生理用ナプキンの顧客となる年齢層の女性のデータを集め、排血口の位置の平均値を算出し、当該平均値を本発明の排血口とすることができる。そのようにして、特定した当該排血口に接触する部分を排血口対応部Ｒ１として特定する。当該排血口対応部Ｒ１は、図１に示したように、前記吸収要素６の長手方向の直径が、前記吸収要素６の幅方向の直径よりも長い楕円形状をしている。
また、生理用ナプキン１の長手方向において、Ｒ１の後側に会陰部Ｒ２が設けられる。
【００４２】
前記第一エンボス１５は、前記長手方向中心線ＣＬを基準として、前記吸収要素６の幅方向外側から前記長手方向中心線ＣＬ側へ向かって凸状に形成される。より詳細には、例えば図１に記載のように、弧状に形成される。図１の例においては、当該第一エンボス１５の中間部が排血口対応部Ｒ１の一部と重なるように配置され、当該第一エンボス１５の端部が排血口対応部Ｒ１と重ならないように配置されている。
【００４３】
本発明における第一エンボス１５の形状は、前記形状に限定されるものではなく、例えば、前記第一エンボス１５の一部分が、前記吸収要素６の長手方向中心線ＣＬ側から幅方向外側へ向かって凸状に形成されていても良い。
また、当該第一エンボス１５の中間部が前記排血口対応部Ｒ１の一部と重ならないように、長手方向中心線ＣＬを基準として、当該排血口対応部Ｒ１の幅方向外側に配置されるものであっても良い。
【００４４】
次に、前記第二エンボス１０は、前記長手方向中心線ＣＬを基準として、前記長手方向中心線ＣＬ側から前記吸収要素６の幅方向外側へ向かって凸状に形成される。より詳細には、例えば図１のように、弧状に形成される。この例においては、当該第二エンボス１０が排血口対応部Ｒ１と重ならないように配置されている。そして、前記長手方向中心線ＣＬ上にある前記排血口対応部Ｒ１を前記一対の第二エンボス１０が左右から挟むように配置されている。
【００４５】
本発明における第二エンボス１０の形状は、前記形状に限定されるものではなく、例えば、前記第二エンボス１０の一部分が、前記長手方向中心線ＣＬを基準として、前記吸収要素６の幅方向外側から長手方向中心線ＣＬ側へ向かって凸状に形成されるようにしても良い。
また、当該第二エンボス１０の中間部が前記排血口対応部Ｒ１の一部と重なるように、しても良い。
【００４６】
次に、前記第一エンボス１５の端点は、図１に記載のように、前記第二エンボス１０と離間しているほうが望ましい。前記の通り、第一エンボス１５の端点と第二エンボス１０が交差した場合には、当該交差点付近の前記吸収要素６が硬くなってしまう。そのような硬さは、吸収性物品の着用者が感じる着け心地の悪化につながるため、そのような悪化を防ぐことができるからである。
【００４７】
また、前記第二エンボス１０は、前記吸収要素６の長手方向前後に長く伸びたように形成することが望ましい。このように形成することにより、経血などの液体が前記第二エンボス１０に沿って長手方向前側および後側へと分散されるため、経血などの液体が前記吸収要素６に効果的に吸収されるからである。
【００４８】
更に、図２に示すように、前記吸収要素６の長手方向中心線ＣＬを基準として、前記中心線ＣＬの左右にそれぞれ形成された、前記第一エンボス１５と前記第二エンボス１０に囲まれた部分に、第三エンボス１８を更に設けても良い。当該第三エンボス１８を設けることにより、当該第三エンボス１８を設けない場合と比べて、前記第一エンボス１５と前記第二エンボス１０に囲まれた部分がより立体的に隆起する。そのため、着用者の排血口に対するフィット感をより向上させることができる。
【００４９】
尚、前記第三エンボス１８を構成するエンボス点の間隔は、密にしないほうが好ましい。密にすると、前記第三エンボス１８付近に位置する前記吸収要素６が硬くなってしまい、着用者が感じる生理用ナプキン１の着け心地悪化につながるからである。
尚、図２においては、前記第三エンボス１８を生理用ナプキン１の長手方向中心線ＣＬと略平行に設けたが、第三エンボス１８を形成する方法はこれに限られない。具体的には、前記長手方向中心線ＣＬを基準線とした場合に、所定の角度をつけて斜めに設けてもよいし、第三エンボス１８を図２のように１本だけではなく、複数本設けてもよい。
【００５０】
次に、第一エンボス１５、第二エンボス１０、第三エンボス１８を構成する各エンボス点の間隔について、説明する。
図１および図２においては、第一エンボス１５および第三エンボス１８は、エンボス線のみからなるものを表している。当該エンボス線のみからなるものとは、図７の（ｂ）の状態のエンボスをいう。また、図１および図２においては、第二エンボス１０は、エンボス線とエンボス点からなるものを表している。当該エンボス線とエンボス点からなるものとは、図７の（ｄ）の状態のエンボスをいう。
【００５１】
更に、前記第一エンボス１５および前記第三エンボス１８の少なくとも一方のエンボスが、図７（ａ）のようにエンボス点のみからなり、前記第二エンボス１０も、図７（ｃ）のようにエンボス点のみからなる場合がある。当該場合は、前記第一エンボス１５を構成する各エンボス点間の間隔、及び前記第三エンボス１８を構成する各エンボス点間の間隔のうち、少なくとも一方のエンボスのエンボス点間の間隔は、前記第二エンボス１０を構成する各エンボス点間の間隔よりも疎にする。
これは、一般に、前記エンボス点の間隔が密になればなるほど、当該エンボス点近辺の前記吸収要素６が硬くなる。エンボス点間の間隔を前記のようにすることで、前記第一エンボス１５及び前記第三エンボス１８の少なくとも一方のエンボスの近辺の前記吸収要素６が硬くならないため、前記生理用ナプキン１を着用した時に着用者が感じる着け心地が悪くならない。また、第二エンボス１０の間隔を前記第一エンボス１５および第三エンボス１８の少なくとも一方のエンボスよりも密にすることで、経血等の液体を当該第二エンボス１０のエンボス点の溝に沿って長手方向前側および後側に速やかに流すことができ、経血等のショーツへの漏れ出しを防ぐことができる。
【００５２】
更に、前記第一エンボス１５および前記第三エンボス１８の少なくとも一方のエンボスが、図７（ａ）のようにエンボス点のみからなり、前記第二エンボス１０が、図７（ｄ）のようにエンボス点とエンボス線を組み合わせたものからなる場合がある。当該場合は、前記第二エンボス１０を構成する各エンボス点間の間隔は、前記第一エンボス１５を構成する各エンボス点間の間隔、及び前記第三エンボス１８を構成する各エンボス点間の間隔の少なくとも一方の間隔よりも疎にする。
これは、前記第二エンボス１０は、経血等の液体を当該第二エンボス１０の溝に沿って長手方向前側および後側に速やかに流すことを１つの目的としている。そのため、前記第二エンボス１０がエンボス点のみからなる場合は、当該エンボス点の間隔を前記第一エンボス１５および前記第三エンボス１８の少なくとも一方のエンボスのエンボス点の間隔よりも、密にしなければならない。しかし、前記第二エンボス１０がエンボス線およびエンボス点からなる場合は、当該エンボス線によって、経血等の液体を当該第二エンボス１０の溝に沿って長手方向前側および後側に速やかに流すことができるので、前記第二エンボス１０のエンボス点の間隔を、前記第一エンボス１５および前記第三エンボス１８の少なくとも一方のエンボスのエンボス点の間隔よりも、疎にすることができる。当該第二エンボス１０のエンボス点の間隔を疎にすることで、当該第二エンボス１０の間隔を密にした時と比べて、当該第二エンボス１０近辺の吸収要素６が硬くなるのを防ぐことができる。
【００５３】
次に、生理用ナプキン１とショーツ１６を固着する固着手段ａ２０について図３を用いて説明する。
前記固着手段ａ２０は、前記不透液性裏面シート２のショーツ１６に対向する表面上に設けられる。図３においては、前記固着手段ａ２０が前記不透液性裏面シート２の幅方向左右に３列に設けられている。前記固着手段ａ２０は、前記第二エンボス１０と略並行に設けられている。３列に設けられた前記固着手段ａ２０のうち、両端に位置する前記固着手段ａ２０は前記第二エンボス１０の一部と重なるように配置されている。一方、３列に設けられた前記固着手段ａ２０のうち、中央に位置する固着手段ａ２０は、前記第一エンボス１５と重ならないように、前記第一エンボス１５の長手方向前側及び後側に配置されている。
言い換えるならば、前記固着手段ａ２０は、排血口対応部Ｒ１を取り囲むように配置されている。
固着手段ａ２０をこのように配置することにより、前記排血口対応部Ｒ１の前記不透液性裏面シート２のショーツ１６に対面する側がショーツ１６を固着していないため、前記排血口対応部Ｒ１の前記不透液性裏面シート２のショーツ１６に対面する側をショーツ１６に固着した場合と比べて、より少ない力で前記吸収要素６を隆起させることができる。
【００５４】
次に、吸収要素６と不透液性裏面シート２を固着する固着手段ｂ２２について図３を用いて説明する。
即ち、前記固着手段ｂ２２は、前記吸収要素６と前記不透液性裏面シート２の間に設けられる。塗布範囲は図３に示すように、前記排血口対応部Ｒ１内及び当該排血口対応部Ｒ１の近辺には塗布せず、それ以外の部分には塗布する。塗布方法としては、例えば、生理用ナプキン１の長手方向前側から後側に向かって、スパイラル状のパターンで塗布される。その他の例としては、シグマ状、オメガ状、サミット状などのパターンで塗布されることもある。
固着手段ｂ２２をこのように配置することにより、前記排血口対応部Ｒ１の前記不透液性裏面シート２の前記吸収要素６に対面する側が前記吸収要素６に固着していないため、前記排血口対応部Ｒ１の前記不透液性裏面シート２の前記吸収要素６に対面する側を前記吸収要素６に固着した場合と比べて、より少ない力で前記吸収要素６を隆起させることができる。
【００５５】
前記固着手段ａ２０及び前記固着手段ｂ２０について図３を参照して述べたが、前記吸収要素６を少ない力で隆起させるためには、前記のように排血口対応部Ｒ１付近には、前記固着手段ａ２０及び前記固着手段ｂ２０のいずれも設けないほうが好ましい。
しかし、前記固着手段ａ２０及び前記固着手段ｂ２０のいずれか一方を排血口対応部Ｒ１付近に設け、他の一方を排血口対応部Ｒ１付近に設けないようにしても良い。
【００５６】
次に、前記吸収要素６が隆起した状態について、図４を用いながら説明する。
生理用ナプキン１を着用すると、足圧によって、当該生理用ナプキン１は幅方向左右外側から幅方向内側に向かって圧縮力を受ける。当該足圧は、まず前記第二エンボス１０で受け止められ、前記吸収要素６のうち、前記一対の第二エンボス１０に挟まれた部分が隆起する。
また、前記第二エンボス１０で受け止めきれなかった足圧は、前記第一エンボス１５で受け止められる。そして、前記吸収要素６のうち、前記一対の第一エンボス１５に挟まれた部分が、更に隆起する。
そのため、前記第二エンボス１０だけを設け、前記第一エンボス１５を設けない場合と比べて、前記生理用ナプキン１のうち前記吸収要素６の隆起がより立体的となり、前記第二エンボスに挟まれた前記吸収要素６に歪んだよれが生じづらくなり、着用者の排血口部へのフィット性がより高くなる。
【００５７】
また、前記固着手段ａ２０は前記排血口対応部Ｒ１を取り囲むように配置されており、前記排血口対応部Ｒ１付近では前記ショーツ１６と前記不透液性裏面シート２を固着せず、前記排血口対応部Ｒ１以外の部分では前記ショーツ１６と前記不透液性裏面シート２を固着する。
そのため、前記排血口対応部Ｒ１の前記不透液性裏面シート２のショーツ１６に対面する側をショーツ１６に固着した場合と比べて、より少ない力で前記吸収要素６を隆起させることができる。
【００５８】
更に、前記固着手段ｂ２２は前記排血口対応部Ｒ１を取り囲むように配置されており、前記排血口対応部Ｒ１付近では前記吸収要素６と前記不透液性裏面シート２を固着せず、前記排血口対応部Ｒ１以外の部分では前記吸収要素６と前記不透液性裏面シート２を固着する。
そのため、前記排血口対応部Ｒ１の前記不透液性裏面シート２の前記吸収要素６に対面する側を前記吸収要素６に固着した場合と比べて、より少ない力で前記吸収要素６を隆起させることができる。
【００５９】
次に、前記第一エンボス１５の形成位置について、図５を用いて説明する。
図５においては、前記第一エンボス１５が前記吸収要素６にのみ設けられ、前記透液性表面シート３に設けられていない。これは図４で、前記第一エンボス１５が前記吸収要素６および前記透液性表面シート３に設けられているのと異なる。
前記のとおり、前記透液性表面シート３や前記吸収要素６にエンボスを設けると、エンボス部分が硬くなる。そのため、前記生理用ナプキン１を着用した際の着け心地が悪くなるのみならず、前記透液性表面シート３の液透過性や前記吸収要素６の液吸収性が低下する。
しかし、図５に示すように、前記第一エンボス１５を前記吸収要素６にのみ設け、前記透液性表面シート３に設けないようにすれば、前記第一エンボス１５周辺の前記透液性表面シート３の液透過性が損なわれないという効果がある。
また、前記吸収要素６には前記第一エンボス１５を設けているため、前記吸収要素６の液吸収性が低下する。しかし、前記第一エンボス１５は、前記一対の第一エンボス１５間に挟まれた前記吸収要素６を隆起させるという目的があるため、本発明の構成上必要なものである。
尚、前記第二エンボス１０は、前記透液性表面シート３および前記吸収要素６の両方に設けている。これにより、前記透液性表面シート３の液透過性は低下するが、経血等の液体を前記第二エンボス１０より幅方向外側へ漏れ出さないようにするために、前記第二エンボス１０を前記透液性表面シート３にも設け、前記第二エンボス１０の長手方向前側及び後側へ前記液体を誘導している。
【００６０】
次に、前記第一エンボス１５及び前記第二エンボス１０を形成する位置について、図６を用いながら説明する。
前記第一エンボス１５および前記第二エンボス１０は、着用者の足圧を大きく受ける範囲に配置するのが望ましい。図６記載の例では、図６のウイング部Ｗの付根中央部Ｚが、この着用者の足圧を最も大きく受けると想定している。従って、当該ウイング付根中央部Ｚを通り、前記生理用ナプキン１の長手方向中心線ＣＬに直行するように幅方向基準線Ａ−Ａ’を描いたと仮定した場合、幅方向基準線Ａ−Ａ’と当該幅方向基準線Ａ−Ａ’から長手方向前方に設けた線Ｂ−Ｂ’との間の距離Ｌ１が約２０〜４０ｍｍであり、幅方向基準線Ａ−Ａ’と当該幅方向基準線Ａ−Ａ’から長手方向後方に設けた線Ｃ−Ｃ’との間の距離Ｌ２が約２０〜４０ｍｍであるように、前記第一エンボス１５および前記第二エンボス１０を設けることが望ましい。
【００６１】
また、前記生理用ナプキン１の長手方向中心線ＣＬを境に、生理用ナプキン１を二分したと仮定した場合に、二分した一方の区域内にある前記第一エンボス１５と前記第二エンボス１０の離間部分のうち、最も離れている部分の距離ＳＷが１０ｍｍ以上であることが望ましい。当該距離ＳＷが１０ｍｍ未満になると、前記第一エンボス１５と前記第二エンボス１０の間に介在する前記吸収要素６に硬さが生じ、前記生理用ナプキン１の着用者が感じる着け心地が悪化するからである。
更に、前記一対の第二エンボス１０のうち前記生理用ナプキン１の幅方向において最も離れた距離ＬＷは、前記距離ＳＷの３．５倍以上であることが望ましい。３．５倍未満になると、前記生理用ナプキン１の長手方向中心線ＣＬを境に、生理用ナプキン１を二分したと仮定した場合に、二分した一方の区域内にある前記第一エンボス１５と前記第二エンボス１０の間に介在する前記吸収要素６、または、前記一対の第一エンボス１５の間に介在する前記吸収要素６に硬さが生じ、前記生理用ナプキン１の着用者が感じる着け心地が悪化するからである。
【００６２】
次に、前記第一エンボス１５および前記第二エンボス１０の形状について、図６及び図８を用いながら説明する。
前記第一エンボス１５および前記第二エンボス１０の形状は、図６に示すように生理用ナプキン１の幅方向基準線Ａ−Ａ’を基準として、長手方向前側および後側の形状が対象となるように弧状に形成する例を用いることができる。
それ以外にも、図８（ａ）（ｃ）に示すように、前記第一エンボス１５および前記第二エンボス１０の形状は、生理用ナプキン１の幅方向基準線Ａ−Ａ’を基準として、長手方向前側および後側の形状が対象とならないように形成する例も用いることができる。また、図８（ｂ）（ｄ）に示すように、前記第一エンボス１５および前記第二エンボス１０の一部が凹状である形状の例も用いることができる。尚、図８（ｂ）（ｄ）における前記第一エンボス１５および前記第二エンボス１０の凹状部分の数は１つであるが、任意に２つ以上にする例も用いることができる。
【符号の説明】
【００６３】
１：生理用ナプキン、２：不透液性裏面シート、３：透液性表面シート、４：吸収体、５：クレープ紙、６：吸収要素、７：外延部、１０：第二エンボス、１２：後方部エンボス、１３：前方部エンボス、１５：第一エンボス、１６：ショーツ、１８：第三エンボス、２０：固着手段ａ、２２：固着手段ｂ、ＣＬ：長手方向中心線、Ｒ１：排血口対応部、Ｒ２：会陰部、Ｗ：ウイング部、Ｚ：ウイング部付根中央部、ＺＢ：後方部折畳み線、ＺＦ：前方部折畳み線
【図１】
2012120792.tif 000003
【図２】
2012120792.tif 000004
【図３】
2012120792.tif 000005
【図４】
2012120792.tif 000006
【図５】
2012120792.tif 000007
【図６】
2012120792.tif 000008
【図７】
2012120792.tif 000009
【図８】
2012120792.tif 000010